(57)【要約】【課題】島に固定されたパチスロ遊技機が予期せぬ後方への移動を行うのを防止するための技術を提供する。【解決手段】移動防止装置２００は、島の下板の後方に取付けられる。移動防止装置２００は、ケース２１０を備えており、ケース２１０には、ケース２１０に対して前後動が可能とされた状態と、ケース２１０に対して前方へは移動できるものの後方への移動が規制された状態とをロック部材２３０によって選択可能とされた係止部材２２０が取付けられている。パチスロ遊技機が使用されるとき、係止部材２２０前方の当接面がその背面に当接させられ、且つ係止部材２２０は後方への移動が規制された状態とされる。【選択図】図１０
2018082932.tif 000002
【特許請求の範囲】
【請求項１】
パチスロ遊技機の下面がその上に載置される水平な下板を有するパチスロ遊技機が固定される設置台ユニットに固定されたパチスロ遊技機が後方に移動するのを防止するためのパチスロ遊技機の移動防止装置であって、
前記パチスロ遊技機の背面に当接する平面である当接面を有するとともに、前後方向に移動可能とされた係止部材と、
前記係止部材を係止することにより、前記係止部材の後方への移動を妨げることができるようにされたロック部材と、
その操作により、前記ロック部材が前記係止部材を係止しない状態と、前記ロック部材が前記係止部材を係止する状態とを切換える作業者が操作する操作手段と、
を備えているパチスロ遊技機の移動防止装置。
【請求項２】
前記設置台ユニットが、前記下板の上方に位置し、前記下板との間に前記パチスロ遊技機が固定される水平な上板を有するものとされており、
前記操作手段は、前記上板よりも上方に設けられている、
請求項１記載のパチスロ遊技機の移動防止装置。
【請求項３】
前記係止部材、及び前記ロック部材を取付ける本体部を備えており、前記本体部は、前記下板に固定されるようになっている、
請求項１記載のパチスロ遊技機の移動防止装置。
【請求項４】
前記本体部は、前記本体部が前記下板に固定されたときに前記下板の上面と同一平面内に位置する面を形成する延長面をその上面に有しており、前記係止部材は前記本体部から前記延長面の上方に伸びるようになっている、
請求項３記載のパチスロ遊技機の移動防止装置。
【請求項５】
前記係止部材、及び前記ロック部材の一方は、ラチェットの歯と爪の一方を備えているとともに、前記係止部材、及び前記ロック部材の他方は、ラチェットの歯と爪の他方を備えており、前記爪と前記歯とが係止されることにより、前記ロック部材は、前記係止部材の後方への移動を妨げるべく前記係止部材を係止することができるようになっている、
請求項１記載のパチスロ遊技機の移動防止装置。
【請求項６】
前記係止部材に前方への力を与える弾性体を備えており、前記係止部材はその弾性体による力に抗して後方に移動させることが可能となっているとともに、前記弾性体による力がなくなった場合には前方に向けて移動するようになっている、
請求項１記載のパチスロ遊技機の移動防止装置。
【請求項７】
前記パチスロ遊技機と前記設置台ユニットとを固定し、且つその固定を解除することができるパチスロ遊技機の取付装置を含んでいるとともに、前記パチスロ遊技機の取付装置は、前記操作手段を操作して前記ロック部材が前記係止部材を係止したときに、それと同時に前記設置台ユニットに対する前記パチスロ遊技機の固定をなし、前記操作手段を操作して前記ロック部材が前記係止部材の係止を解除したときに、それと同時に前記設置台ユニットに対する前記パチスロ遊技機の固定を解除するようになっている、
請求項２記載のパチスロ遊技機の移動防止装置。
【請求項８】
前記取付装置は、
前記上板の後方に位置するようにして、前記上板に固定される取付装置本体部と、
前記取付装置本体部に対して取付けられた、前記取付装置本体部に対して上下動可能とされ、上方の第１位置と、それより下方の第２位置に位置することのできるようにされた可動部材と、
前記可動部材の下方に取付けられた、前記可動部材が前記第２位置に位置するときにその下面が、前記上板の後方に位置するパチスロ遊技機の上面を押圧する押圧部材と、
前記可動部材、及び前記ロック部材を同時に操作する前記操作手段と、
を備えている、
請求項７記載のパチスロ遊技機の移動防止装置。
【発明の詳細な説明】
【技術分野】
【０００１】
本発明は、パチスロ遊技機（本願では、これを単に「遊技機」という場合がある。）の移動、特に後方への予期せぬ移動を防止するための遊技機の移動防止装置に関する。
【背景技術】
【０００２】
パチスロ遊技機が一般店舗で使用される場合、パチスロ遊技機は一般に、設置台ユニットに取付けられる。一般的には島と呼ばれるものである設置台ユニット（以下、簡単のため、これが島であることにして話を進める。）には、並列に多数のパチスロ遊技機が取付けられる。
【０００３】
パチスロ遊技機の島への取付けは従来、以下のように行われている。
島は、遊技機をその上に載置する事実上水平な下板と、遊技機の上面の直ぐ上に位置する事実上水平な上板とを備えている。パチスロ遊技機は、下板の上に載置され、下板にその下面や或いは側面を、例えば釘を用いて固定されるとともに、上板にその上面やその側面を、例えば釘を用いて固定されることにより、島に固定される。
【０００４】
しかしながら、釘を用いた固定は面倒でありコストが嵩み、また、一度島に固定したパチスロ遊技機を島から取外すのも面倒でありコストが嵩む。パチスロ遊技機は、一定の期間毎に入れ替えられるのが通常であるから、その島への固定、島からの取外しの都度、手間、コストが嵩むのは由々しき問題である。
そのような課題を解決するために、本願発明者は、特願２０１４−０５４２３６の出願を行った。かかる出願に係る発明は、上述の上板に取付けて使用されるものであり、上板の後方に位置するようにして上板に取付けられる本体部と、本体部に対して取付けられた、本体部に対して上下動可能とされ、上方の第１位置と、それより下方の第２位置に位置することのできるようにされた可動部材と、可動部材の下方に取付けられた、可動部材が第２位置に位置するときにその下面が、上板の後方に位置するパチスロ遊技機の上面を押圧する押圧部材と、を備えた遊技機の取付装置である。このような取付装置であれば、可動部材を第１位置から第２位置に下げることにより、押圧部材の下面と下板の上面との間で、下板に載置された遊技機を上下から挟み込むことによって遊技機の固定をなすことができるとともに、可動部材を第２位置から第１位置に上げることにより、島に対する遊技機の固定を解除することができる。上述の発明の実施品では、可動部材の上下動を、操作レバーの操作によってワンアクションで行うことが可能となっており、島に対する遊技機の固定とその解除が、従来に較べて飛躍的に簡易化された。
【発明の概要】
【発明が解決しようとする課題】
【０００５】
ところが、上述の如き取付装置は大きな利点を有するものではあるが、改良の余地を残す。パチスロ遊技機は、その前方に扉を有している。かかる扉は、遊技機の故障に対処する場合や、メンテナンスを行う場合等に開かれ、その必要が無くなった場合には閉じられる。そして、かかる扉にはそれなりの重量があるため、扉を閉じる場合の衝撃はある程度大きく、それによりパチスロ遊技機の全体が後方に移動する場合がある。他にも、興奮等した遊技者がパチスロ遊技機を叩くことによっても、遊技機が後方に移動する場合がある。
島に固定されたパチスロ遊技機の予期せぬ後方への移動というかかる課題は、挟持によりパチスロ遊技機を島に固定する上述の如き取付装置では、釘を用いてパチスロ遊技機を島に固定する従来の固定方法よりも顕著に現れる。もっとも、かかる課題は、従来の固定方法を用いてパチスロ遊技機を島に固定する場合においても存在しないものではない。
【０００６】
本願発明は、何らかの方法で島に固定されたパチスロ遊技機が予期せぬ後方への移動を行うのを防止するための技術を提供することをその課題とする。
【課題を解決するための手段】
【０００７】
本願発明者は、上述の課題を解決するために、以下の発明を提案する。
本願発明は、パチスロ遊技機の下面がその上に載置される水平な下板を有するパチスロ遊技機が固定される設置台ユニットに固定されたパチスロ遊技機が後方に移動するのを防止するためのパチスロ遊技機の移動防止装置（以下、単に「移動防止装置」という場合がある。）である。
そして、この移動防止装置は、前記パチスロ遊技機の背面に当接する平面である当接面を有するとともに、前後方向に移動可能とされた係止部材と、前記係止部材を係止することにより、前記係止部材の後方への移動を妨げることができるようにされたロック部材と、その操作により、前記ロック部材が前記係止部材を係止しない状態と、前記ロック部材が前記係止部材を係止する状態とを切換える作業者が操作する操作手段と、を備えている。
かかる移動防止装置は、パチスロ遊技機の背面に当接させられる当接面を備えた係止部材を備えている。係止部材は、前後方向に移動可能であるがロック部材によって係止された場合には後方へ移動できなくなる。設置台ユニットに固定されたパチスロ遊技機の背面に当接面を当接された係止部材をロック部材によって係止することにより、パチスロ遊技機は後方への力を受けても後方に下がらなくなる。これにより、何らかの方法で島に固定されたパチスロ遊技機が予期せぬ後方への移動を行うのを防止することが可能となる。
ここで、係止部材は、ロック部材によって係止されていない状態では前後方向に移動可能とされる。それは、以下のような理由による。上述のように、係止部材は設置台ユニットに固定されたパチスロ遊技機の背面にその当接面を当接させることが必要となる。そして、パチスロ遊技機は、設置台ユニットに固定されるときに、設置台ユニットに含まれる下板の上に一旦載せられてから下板の上を後方に向けて押し込まれ、適当な位置まで押し込まれた状態で、設置台ユニットに固定される。その場合における下板の上で後方に向かって行われるパチスロ遊技機の移動を、パチスロ遊技機の背面と当接する係止部材が妨げることを防ぐ必要がある。したがって、本願発明では、ロック部材によって係止されていない状態における係止部材の前後方向の移動を許容し、パチスロ遊技機が下板の上で後方に押し込まれるときにはロック部材による係止部材の係止を解除することによってパチスロ遊技機が後方に押し込まれるときには、パチスロ遊技機の背面によってその当接面が後方に押されることにより係止部材がパチスロ遊技機とともに後方に移動するようにしている。そのようにすれば、パチスロ遊技機が後方の適切な位置まで下がったときに、係止部材の当接面が自動的にパチスロ遊技機の背面に当接した状態となっているから、改めてその当接面をパチスロ遊技機の背面に当接させるような係止部材の位置決めが不要になり便利である。
なお、本願において、前後の概念はパチスロ遊技機の前後の概念に倣う。
【０００８】
上述のように、係止部材はロック部材に係止される場合があり、またロック部材への係止が解除されることがある。そして、その２つの状態のいずれを選択するかは、操作手段の操作によって任意に行うことができる。
操作手段の位置、或いはその構成はどのようなものでも構わない。操作手段は作業者が素手で操作を行うことができるようになっていても良いし、作業者が何らかの工具等の適当な器具を介してその操作を行うことができるようになっていてもよい。
前記設置台ユニットが、前記下板の上方に位置し、前記下板との間に前記パチスロ遊技機が固定される水平な上板を有するものとされている場合（通常の島はそのように構成されているが）、前記操作手段は、前記上板よりも上方に設けられていてもよい。通常、通常は島である設置台ユニットにおける上板の上方の部分は、島乃至パチスロ遊技機のメンテナンス等の要請から開放可能となっている。パチスロ遊技機の背面には作業者の手が届きにくいが、かかる部分に操作手段があれば作業者はその操作を行い易い。
【０００９】
パチスロ遊技機の移動防止装置は、前記係止部材、及び前記ロック部材を取付ける本体部を備えており、前記本体部は、前記下板に固定されるようになっていても構わない。本体部は、下板に対して直接固定されるようになっていてもよく、本体部と着脱できる所定の部材（金具等）を介して間接的に下板に対して固定されるようになっていても良い。この場合の所定の部材はパチスロ遊技機の移動防止装置の一部をなすと捉えることができる。
移動防止装置が本体部を備え、且つ本体部が下板に対して固定される場合、前記本体は、前記本体部が前記下板に固定されたときに前記下板の上面と同一平面内に位置する面を形成する延長面をその上面に有していてもよい。パチスロ遊技機が下板の上で後方に押し込まれるときに、パチスロ遊技機のサイズによっては、パチスロ遊技機の背面が下板の後端を超える場合がある。そのような場合において、本体部の上述の延長面がパチスロ遊技機を下から支えるので、パチスロ遊技機が安定しやすくなる。また、本体部が上述の如き延長面を有する場合、前記係止部材は前記本体部から前記延長面の上方に伸びるようなものとすることができる。この場合、例えば板状体である係止部材は、その当接面が、パチスロ遊技機の前後方向に平行な直線に直交することになる。延長面は、下板の上面と一連でも良いしそうでなくてもよい。
【００１０】
上述のように、ロック部材が係止部材を係止していないときは係止部材は、前後方向の移動を自由に行うことができる。他方、ロック部材が係止部材を係止すると、係止部材は後方への移動を行えなくなる。そのような機能は、例えば公知のラチェット機構を用いることにより容易に達成することができる。例えば、前記係止部材、及び前記ロック部材の一方は、ラチェットの歯と爪の一方を備えているとともに、前記係止部材、及び前記ロック部材の他方は、ラチェットの歯と爪の他方を備えており、前記爪と前記歯とが係止されることにより、前記ロック部材は、前記係止部材の後方への移動を妨げるべく前記係止部材を係止することができるようになっていてもよい。
なお、ロック部材が係止部材を係止した状態では、係止部材は前方にも移動できなくなっていてもよいが、前方には移動できるようになっていてもよい。ロック部材が係止部材を係止すると、係止部材は前方には移動できるが後方に移動できないというような前後方向において非対称な状態を生じさせるのにも、ラチェット機構は都合が良い。
【００１１】
前記係止部材に前方への力を与える弾性体を備えており、前記係止部材はその弾性体による力に抗して後方に移動させることが可能となっているとともに、前記弾性体による力がなくなった場合には前方に向けて移動するようになっていてもよい。
上述のように、島に対するパチスロ遊技機の固定は、パチスロ遊技機の入替えの度に行われる。したがって、設置台ユニットに移動防止装置が取付けられた状態で島に固定された古いパチスロ遊技機を設置台ユニットから取外し、新しいパチスロ遊技機を設置台ユニットに取付ける、という作業はしばしば生じる。その場合において、古いパチスロ遊技機が設置台ユニットに固定されていたときに、パチスロ遊技機の背面にその当接面を当接させていた係止部材、つまり後方に下げられていた係止部材が、古いパチスロ遊技機を設置台ユニットから取外した後においても元の位置に留まったままであると、新しいパチスロ遊技機を下板に乗せてから後方に押し込む際に、係止部材の当接面がパチスロ遊技機の背面に正しく当接しないということが生じうる。例えば、新しいパチスロ遊技機の前後方向の長さが、古いパチスロ遊技機の前後方向の長さよりも小さい場合には、新しいパチスロ遊技機と古いパチスロ遊技機の前側の位置を揃えると、新しいパチスロ遊技機の背面は係止部材の当接面にまで到達しないから、その間に隙間が空いてしまうことになる。そのような事態を生じさせないようにするには、パチスロ遊技機を設置台ユニットから取外したときに、係止部材を一旦前方に移動させることが必要となる。上述の如き弾性体があれば、そのような係止部材の前方への移動が自動的に行われるから便利である。
また、弾性体によって係止部材が前方に常に付勢された状態にあることは、以下のような利点を生む。上述したように設置台ユニットに遊技機が固定される場合には、遊技機を一旦下板に乗せてから遊技機を後方に押し込む。このとき、遊技機を押し込みすぎて遊技機を少し前方にずらし、遊技機の前後方向の位置を修正することがある。少なくとも後方に移動した係止部材が、弾性体から前方に向かう力が加えられた状態となっており、後方に移動した係止部材が前方に移動可能となっていれば、そのような場合においても遊技機の背面と係止部材の当接面との間に隙間が生じることを防げる。
なお、係止部材は、弾性体によって加えられる前方への力により、ロック部材がパチスロ遊技機をロックしていない場合にのみ前方に自動的に移動するようになっていても良いし、ロック部材がパチスロ遊技機をロックしているかいないかに関わらず前方に自動的に移動するようになっていても良い。後者もラチェット機構により実現でき、ラチェット機構と相性が良い。後者を採用した場合には、構成を簡素化することができる。
【００１２】
かかるパチスロ遊技機の移動防止装置を用いる場合、パチスロ遊技機が設置台ユニットに固定される方法はどのようなものでもよい。例えば、パチスロ遊技機は、背景技術の欄で述べたような、パチスロ遊技機を下板との間で挟持することによってパチスロ遊技機を設置台ユニットに固定するようにされたパチスロ遊技機の取付装置によって、設置台ユニットに固定されてもよい。つまり、かかる移動防止装置は、上述の如きパチスロ遊技機の取付装置と組合せて用いることができる。この場合、かかる取付装置は移動防止装置の一部であると捉えてももちろん差し支えない。
例えば、前記パチスロ遊技機と前記設置台ユニットとを固定し、且つその固定を解除することができるパチスロ遊技機の取付装置を含んでいるとともに、前記パチスロ遊技機の取付装置は、前記操作手段を操作して前記ロック部材が前記係止部材を係止したときに、それと同時に前記設置台ユニットに対する前記パチスロ遊技機の固定をなし、前記操作手段を操作して前記ロック部材が前記係止部材の係止を解除したときに、それと同時に前記設置台ユニットに対する前記パチスロ遊技機の固定を解除するようになっていてもよい。かかる発明は、本願の移動防止装置が、パチスロ遊技機の取付装置を含んでいるのと同時に、パチスロ遊技機の設置台ユニットへの固定（又は解除）と、ロック部材による係止部材の係止（又は解除）とを、１つの操作手段の操作によって実現するものである。これによれば、２つの操作を１つの操作手段の操作によってまとめて実行できるから便利である。
この場合、前記取付装置は、前記上板の後方に位置するようにして、前記上板に固定される取付装置本体部と、前記取付装置本体部に対して取付けられた、前記取付装置本体部に対して上下動可能とされ、上方の第１位置と、それより下方の第２位置に位置することのできるようにされた可動部材と、前記可動部材の下方に取付けられた、前記可動部材が前記第２位置に位置するときにその下面が、前記上板の後方に位置するパチスロ遊技機の上面を押圧する押圧部材と、前記可動部材、及び前記ロック部材を同時に操作する前記操作手段と、を備えていてもよい。
【図面の簡単な説明】
【００１３】
【図１】本実施形態による取付装置が取付けられる設置台ユニットの構成と、設置台ユニットに取付けられた状態の取付装置と、移動防止装置とを示す側面図。
【図２】本実施形態による取付装置をやや左よりの前方、上方から見た状態を示す斜視図。
【図３】本実施形態による取付装置をやや右よりの後方、上方から見た状態を示す斜視図。
【図４】本実施形態による取付装置の分解斜視図。
【図５】本実施形態による取付装置の正面図。
【図６】本実施形態による取付装置の背面図。
【図７】本実施形態による取付装置の平面図。
【図８】本実施形態による取付装置の側面図。
【図９】本実施形態による移動防止装置の側面図。
【図１０】本実施形態による移動防止装置の透視側面図。
【図１１】本実施形態による移動防止装置の正面図。
【図１２】本実施形態による移動防止装置のケースと係止部材の前側の板を省略した場合における正面図。
【図１３】本実施形態による移動防止装置の平面図。
【図１４】本実施形態による移動防止装置の使用状態を示す透視側面図。
【図１５】本実施形態による移動防止装置の下板への固定方法の一例を示す斜視図。
【図１６】本実施形態による移動防止装置の使用状態を示す透視側面図。
【図１７】本実施形態による移動防止装置の使用状態を示す透視側面図。
【図１８】変形例による移動防止装置の側面図。
【図１９】変形例による移動防止装置の透視側面図。
【図２０】変形例による移動防止装置の使用状態を示す透視側面図。
【図２１】変形例による移動防止装置の下板への固定方法の一例を示す斜視図。
【発明を実施するための形態】
【００１４】
以下に、本願発明を実施するための一実施形態を、図面を参照しつつ説明する。
【００１５】
まず、この実施形態においてパチスロ遊技機が取付けられる設置台ユニットについて説明する。設置台ユニットは、パチスロ遊技機が一台だけ取付けられるものであっても良いが、この実施形態の設置台ユニットは、複数台のパチスロ遊技機を横並びにして取付けられるものであり、一般店舗に普通に配置されている、公知又は周知の島と呼ばれる構造物である。
島である設置台ユニット５００の構造の一部の一例を図１の側面図に示す。なお、この設置台ユニット５００は、その片面のみにパチスロ遊技機６００が取付けられるタイプのものであるが、設置台ユニット５００は、その両面に背中合わせになるようにパチスロ遊技機６００が取付けられるようなものであっても構わない。
【００１６】
設置台ユニット５００は、これには限られないが、骨材で組まれた土台部５１０、土台部５１０の上に、隣接するもの同士の間に概ねパチスロ遊技機６００の横幅に対応する間隔を空けて立てられた複数本の柱（図示を省略）、柱の上に設けられた頭部を備えている。
柱の下端付近には、下板５５０が固定されている。下板５５０はその上にパチスロ遊技機６００が載置される事実上水平な板である。下板５５０は平面視矩形である。
パチスロ遊技機６００は下板５５０の上に載置され、適切に位置決めされた上で設置台ユニット５００に固定されたとき、一般に、その前端と下板５５０の前縁が略揃うか、下板５５０の前縁からその前端が僅かに食み出るようにされる。また、パチスロ遊技機６００は、下板５５０の上に載置され適切に位置決めされた上で設置台ユニット５００に固定されたとき、その後端が下板５５０の後縁から食み出るようにされる。下板５５０の大きさと、設置台ユニット５００に対する取付け位置は、下板５５０にパチスロ遊技機６００を載置したときに、下板５５０とパチスロ遊技機６００の関係を上述の如くに調整できるように設計されている。
【００１７】
下板５５０の上方には、上板５６０が固定されている。上板５６０はパチスロ遊技機６００が下板５５０に載置されたときに、パチスロ遊技機６００の直上に位置する、事実上水平な板である。上板５６０は平面視矩形である。
パチスロ遊技機６００は下板５５０の上に載置され、適切に位置決めして設置台ユニット５００に固定されたとき、その前端が上板５６０の前縁から食み出、その後端が上板５６０の後縁から食み出るようにされているのが一般的である。上板５６０の大きさと、設置台ユニット５００に対する取付け位置は、下板５５０にパチスロ遊技機６００を載置し、適切に位置決めして設置台ユニット５００に固定したときに、上板５６０とパチスロ遊技機６００の関係を上述の如くに調整できるように設計されている。
【００１８】
この実施形態では、これには限られないが、図１に示したように、上板５６０の後方部分にはパチスロ遊技機６００を設置台ユニット５００に固定するための取付装置１００が、下板５５０の後方部分にはパチスロ遊技機６００の予期せぬ後方への移動を防止するためのパチスロ遊技機の移動防止装置２００がそれぞれ取付けられる。また、取付装置１００と移動防止装置２００とは、ガイドワイヤ８００によって結ばれている。
なお、島である実際の設置台ユニット５００においては、上板５６０の前方に、その上側が設置台ユニット５００に対してヒンジ接続されており、通常は、鉛直となっている板状体であって、上方に跳ね上げることで開放することができる飾り板が設けられているが、図１では省略している。
【００１９】
次に、パチスロ遊技機６００を設置台ユニット５００に着脱自在に固定するためのパチスロ遊技機６００の取付装置１００の構成について説明する。かかる取付装置１００は、この実施形態では、移動防止装置２００の一部をなす。
取付装置１００は、パチスロ遊技機６００と設置台ユニット５００とを固定し、且つその固定を解除することができるものであること、及びその固定と固定解除とを行うための操作を作業者が行うための操作手段（後述のレンチ穴を備えた駆動軸がその一例である）が最低限求められる。したがって、以下に説明する取付装置１００は、あくまでもその一例である。
【００２０】
取付装置１００は、図２の正面やや上方向から見た状態を示す斜視図、図３の背面やや上方向から見た状態を示す斜視図、図４の分解図、図５の正面図、図６の背面図、図７の平面図、図８の側面図に示されたように構成されている。
【００２１】
取付装置１００は、本体１１０を備えている。本体１１０は、側面視で、下方が開放された断面略コの字型をしている。
本体１１０は、前側の板である、横長の細長い略矩形の前側板１１１と、後側の板である、前側板１１１よりは短いものの横長の細長い略矩形の後側板１１２と、前側板１１１と後側板１１２とをその上縁同士で繋ぐ、一部に矩形の開口１１３Ａが設けられた横長の細長い板である上側板１１３とを備えている。前側板１１１と後側板１１２は、平行である。
前側板１１１と、後側板１１２の上方寄りで且つ正面から見て右側寄りの互いに対応した位置には、必ずしもこの限りではないがともに同じ径で円形の、前側孔（図示を省略）と、後側孔１１２Ａがそれぞれ穿たれている。前側孔と、後側孔１１２Ａには、円筒形状の固定棒１１４がそれらを貫通させられた状態で固定される。固定棒１１４の機能、役割については後述するが、固定棒１１４の一端側には、前側孔を通過できない大きさの抜け止部１１４Ａが設けられており、また固定棒１１４の他端側には、後側板１１２の後側で固定棒１１４に噛ませられる、後側孔１１２Ａよりも大径のイーリング１１５を噛ませるための溝１１４Ｂが切られている。固定棒１１４は、その他端側を前側孔と後側孔１１２Ａを順に貫通させ、且つその他端側の溝１１４Ｂにイーリング１１５を噛ませることにより、その両端が前側孔と、後側孔１１２Ａから抜けないような状態で、前側孔と、後側孔１１２Ａに固定されるようになっている。
前側板１１１と、後側板１１２の上側縁の正面から見て左寄りの互いに対応した位置には、切り欠き状に形成された凹部１１１Ｂ、１１２Ｂが設けられている。
【００２２】
上側板１１３の開口１１３Ａの正面から見て右側寄りの部分は、側面視コの字型の第１蓋部材１１３Ｂで閉じられるようになっている。第１蓋部材１１３Ｂは、本体１１０を跨いだ状態で、ネジ１１３Ｂ１により、本体１１０に螺合により固定されるようになっている。上側板１１３の開口１１３Ａの正面から見て左側寄りの部分は、その上面がその長手方向に沿って中央で分割されはいるものの、２つ併せて側面視コの字型となるようになっている第２蓋部材１１３Ｃで閉じられるようになっている。第２蓋部材１１３Ｃは、本体１１０の内側にその垂直方向の板を挿しこんだ状態で、ネジ１１３Ｃ１により、本体１１０に螺合により固定されるようになっている。
上側板１１３に開口１１３Ａが設けられており、且つそれを第１蓋部材１１３Ｂと第２蓋部材１１３Ｃで閉じることにしているのは、主に、取付装置１００の組立の際に必要である、という理由からである。そのような理由がないのであれば、開口１１３Ａや、第１蓋部材１１３Ｂ、及び第２蓋部材１１３Ｃは特に必要ない。なお、第２蓋部材１１３Ｃの垂直方向の板には、レンチ凹部材（後述）と干渉しないように、上向きに凸の図示せぬ切欠きが設けられている。第２蓋部材１１３Ｃに設けられた切欠きと、凹部１１１Ｂ、１１２Ｂに嵌り込んでレンチ凹部材は、上下左右には移動できなくなる。
上側板１１３の長さ方向の両端付近には、上第１孔１１３Ｄが設けられている。上第１孔１１３Ｄは、後述する貫通ボルトを上下に貫通させるためのものである。
上側板１１３の２つの上第１孔１１３Ｄの内側にはそれぞれ、上第２孔１１３Ｅ、及び上第３孔１１３Ｆが設けられている。上第２孔１１３Ｅ、及び上第３孔１１３Ｆは、後述するバネの上端を係止させるのに用いられる。
【００２３】
本体１１０は、固定部材１１６を備えている。固定部材１１６は、取付装置１００を上板５６０に固定するために用いられるものである。固定部材１１６は、断面略Ｌ字型をしており、水平に伸びる水平部１１６Ａと垂直に伸びる垂直部１１６Ｂとを有している。固定部材１１６の水平部１１６Ａと、垂直部１１６Ｂの少なくとも一方には、固定部材１１６を上板５６０にネジ止めするときにネジを貫通させるネジ孔が設けられている。ネジ孔は、その内部にネジ切りがなされている必要はない。この実施形態では、水平部１１６Ａにはネジ孔１１６Ａ１が、垂直部１１６Ｂにはネジ孔１１６Ｂ１がそれぞれ穿たれている。
【００２４】
本体１１０には、また、駆動リンク１２０が取付けられている。これは、本願における操作手段に相当するものである。
駆動リンク１２０は、本体１１０の背面に固定された取付部材１２１と、取付部材１２１の上側に固定された支持部材１２２と、それらを互いに繋ぐ、いずれも板状の、第１リンク部材１２３、第２リンク部材１２４、及び第３リンク部材１２５とを含んでいる。第１リンク部材１２３と第２リンク部材１２４はネジ１２７Ａで、第２リンク部材１２４と第３リンク部材１２５はネジ１２７Ｂでそれぞれ接続されているが、第１リンク部材１２３と第２リンク部材１２４はネジ１２７Ａを介して、互いの角度を変化させることができるようになっており、また、第２リンク部材１２４と第３リンク部材１２５は、ネジ１２７Ｂを介して、互いの角度を変化させることができるようになっている。
支持部材１２２には、それを前後に貫くようにして、駆動軸１２６が取付けられている。駆動軸１２６の前側端部には、六角レンチをその内部に嵌め込むことができるレンチ穴１２６Ａが設けられた頭部１２６Ｂが設けられている。駆動軸１２６の後側端部は、第１リンク部材１２３を貫いており、駆動軸１２６の後端側端部は、第１リンク部材１２３に取付けられている。
第３リンク部材１２５にはまた、六角レンチの先端に相当する六角形の断面を有するレンチ凸部材１２８が固定的に取付けられている。レンチ凸部材１２８は、水平であり、本体１１０の内部に入り込むような長さとされているが、この実施形態では、第３リンク部材１２５を貫いている。レンチ凸部材１２８の本体１１０の内部に入り込んでいる側の端部は、後述するような方法で後述のレンチ凹部材に接続されている。
以上のような駆動リンク１２０は、取付装置１００を背面から見た場合、駆動軸１２６の中心、ネジ１２７Ａの中心、ネジ１２７Ｂの中心、及びレンチ凸部材１２８の中心を繋いだ形状が略平行四辺形を保つようになっている。そして、その平行四辺形は、変形可能である。駆動リンク１２０の役割は、駆動軸１２６の回転を、レンチ凸部材１２８に伝達することである。駆動軸１２６を、そのレンチ穴１２６Ａに所定の六角レンチの先端を挿入して回転させると、その回転が、第１リンク部材１２３、第２リンク部材１２４、第３リンク部材１２５を介して、レンチ凸部材１２８に伝わり、レンチ凸部材１２８が回転するようになっている。
【００２５】
取付装置１００は、また、本体１１０に対して上下に移動する可動長部材１３０を備えている。
可動長部材１３０は、本体１１０の長手方向の長さに略一致する長さを有する、横長に構成されている。可動長部材１３０は、図４に示したように、上が開いた断面略コの字型形状をしている。
可動長部材１３０は、底面に相当する略矩形の底板１３１と、底板１３１の両縁から立ち上った、その上縁の中ほどが一段下がった略矩形の側板１３２とを備えている。両側板１３２は平行であり、前側板１１１と後側板１１２の間隔よりもその間隔が幾らか狭い。
可動長部材１３０は、本体１１０の前側板１１１と後側板１１２との間に、その両側板１３２を嵌め込むようにして、本体１１０に組み付けられるようになっている。
底板１３１の上側の面には、図示を省略するが、バネ１３３を係止するための係止部が設けられている。係止部は、可動長部材１３０が本体１１０に組み付けられたときに、本体１１０の上第２孔１１３Ｅと上第３孔１１３Ｆの間の直下に位置する位置に設けられている。バネ１３３の両端には、係止部１３３Ａが設けられている。バネ１３３は、可動長部材１３０を本体１１０に組み付ける際に、一方の係止部１３３Ａを、上第２孔１１３Ｅから上第３孔１１３Ｆに順に潜らせ、また他方の係止部１３３Ａを、係止部に係止させた状態とし、両者を垂直方向で繋いだ状態とされる。そのときバネ１３３は、外力を加えていないときよりも引き伸ばされた状態となるようになっている。したがって、本体１１０に組み付けられた可動長部材１３０は、本体１１０に対してバネ１３３から常に上向きの付勢力を受けることになる。
底板１３１の、本体１１０の上第１孔１１３Ｄの直下に位置する部分には、両側板１３２の距離よりも僅かに小さいだけの対辺距離を持つため、回転しようとしても側板１３２と干渉してしまうため回転できない状態とされたナット１３４Ｃが配置されている。
両側板１３２の、その上縁が一段下がる左右の各部分の下方には、可動長部材１３０の長手方向に沿う方向に穿たれた、長い孔である長孔１３２Ａが設けられている。両側板１３２に設けられた長孔１３２Ａは、互いに対応する位置に設けられている。両側板１３２の対応した位置にある長孔１３２Ａには、断面円形の棒状体である軸棒１３２Ｂが貫通させられるようになっている。軸棒１３２Ｂの長さは、両側板１３２の間隔よりも長く、前側板１１１と後側板１１２との間隔よりも僅かに短くなっている。したがって、軸棒１３２Ｂは、可動長部材１３０が本体１１０に組み付けられたときに、長孔１３２Ａの長さ方向に移動可能ではあるものの、長孔１３２Ａから脱落しなくなる。
【００２６】
可動長部材１３０の下方には、押圧部材１４０が取付けられる。
押圧部材１４０は、可動長部材１３０の上下動に伴い上下動を行うものである。押圧部材１４０は、可動長部材１３０とその長さ方向の長さを略共通とする横長に構成されている。押圧部材１４０は可動長部材１３０と同様に、図４に示したように、上が開いた断面略コの字型形状をしている。
押圧部材１４０は、底面に相当する矩形の押圧板１４１と、押圧板１４１の両縁から立ち上がった、板である側方板１４２とを備えている。両側方板１４２は平行であり、それらの間隔は、前板１１１と後板１１２の間隔よりは狭く、可動長部材１３０の両側板１３２の間隔よりは広くなっている。押圧部材１４０は、その押圧板１４１の上面と、可動長部材１３０の底板１３１の下面の間に僅かな隙間を設けつつ、且つその両側方板１４２の内側面（互いに対向する面）と、可動長部材１３０の側板１３２の外側面とを接触させた状態となっている。
押圧部材１４０の押圧板１４１の下面は、後述するように、可動長部材１３０が第２位置にあるときに、パチスロ遊技機６００の上面に当接してパチスロ遊技機６００の上面を下方に押す面である。押圧板１４１の下面は、可動長部材１３０が第２位置にあるときに、押圧面１４１と下板５５０の間で、パチスロ遊技機６００が、転倒したり、移動したりしない程度の力で、パチスロ遊技機６００を設置台ユニット５００に固定できるようなものとされていればそれで足りる。
ただし、可動長部材１３０が第２位置にあるときにパチスロ遊技機６００の上面に加える力を分散させることを考慮するのであれば、押圧板１４１の下面の面積はある程度大きい方が好ましい。可動長部材１３０が第２位置にあるときにパチスロ遊技機６００の上面をよりよく固定できるようにするためには、押圧板１４１の下面のパチスロ遊技機６００の幅方向の長さは、ある程度長い方が好ましい。これには限られないが、この実施形態の押圧部材１４０は、パチスロ遊技機６００の上面に通常存在する開口やリブを想定し、そのような開口やリブがあったとしても、押圧部材１４０と下板５５０とで、パチスロ遊技機６００を挟持することができるような、形状、大きさとする。この実施形態では、押圧部材１４０及び押圧板１４１は、その幅方向が長手方向となる横長形状をしている。そして、この実施形態における、押圧板１４１の下面のパチスロ遊技機６００の幅方向の長さは、パチスロ遊技機６００の幅方向の長さの１／３以上となっている。もっとも、押圧板１４１のパチスロ遊技機６００の幅方向の長さは、パチスロ遊技機６００の幅方向の長さの２／３以上とするのがより好ましいし、パチスロ遊技機６００の幅方向の長さの８割以上とするのが更に好ましい。これには限られないが、この実施形態では、パチスロ遊技機６００の幅と押圧板１４１の幅方向の長さは略一致している。押圧板１４１の下面の長さが長くなればそれだけ、押圧部材１４０によるパチスロ遊技機６００の押圧によってもパチスロ遊技機６００を下板５５０との間で挟持できないという事態が生じにくくなる。この実施形態では、これには限られないが、押圧板１４１のパチスロ遊技機６００の幅方向の長さは、パチスロ遊技機６００の幅方向の長さからその両端が僅かに食み出す程度になっている。押圧板１４１の下面の前後方向の長さは、例えば１ｃｍ〜１０ｃｍの間とされ、２ｃｍ〜８ｃｍが好ましいが、この実施形態では２．５ｃｍ程度とされている。
押圧部材１４０の側方板１４２における、可動長部材１３０の前板１１１と後板１１２の長孔１３２Ａが存在する部分に対応する部分は、切欠き１４２Ａが設けられており、その高さが切欠き１４２Ａのない部分よりも低くなっている。これは、長孔１３２Ａを貫通した軸棒１３２Ｂと側方板１４２との干渉を避けるためである。
押圧部材１４０の下側の面には、弾性部材１５０が取付けられる。弾性部材１５０は、必ずしもこの限りではないが、押圧部材１４０の下面の全面に取付けられている。弾性部材１５０は、例えばゴムでできている。弾性部材１５０の下面には、複数本の細い溝１５１が弾性部材１５０の長さ方向に平行に切られている。これは弾性部材１５０のパチスロ遊技機６００の上面への食付きを向上させるためのものである。溝１５１は、弾性部材１５０の下面に、弾性部材１５０の長さ方向に沿うようにして平行に存在している必要はなく、例えば、格子状に存在していても良い。
弾性部材１５０の上面には、これには限られないが複数の突出部１５２が設けられている。押圧部材１４０の押圧板１４１にはそれら突出部１５２に対応した位置に、それら突出部１５２に対応した形状の図示せぬ孔が穿たれており、その孔に突出部１５２を挿入した状態で、押圧部材１４０の押圧板１４１に、弾性部材１５０が固定される。かかる固定は、これには限らないが、この実施形態では、弾性部材１５０を貫いて、押圧板１４１に螺合により固定されるネジ１５３を用いて行われる。
【００２７】
可動長部材１３０の長さ方向の両側には、弾性機構１３４が設けられている。
弾性機構１３４は、可動長部材１３０に上下方向の多少の弾性を与えるためのものである。また、弾性機構１３４は可動長部材１３０と本体１１０との上下方向での距離の微調整を行う機能をも有している。
弾性機構１３４の構成は、図８の側面図に現れている。
弾性機構１３４は、下が開放した断面コの字型の格納部材１３４Ａを備えている。格納部材１３４Ａは、ネジ１３４Ａ１を用いて可動長部材１３０に固定されている。格納部材１３４Ａの上面には、本体１１０の上第１孔１１３Ｄの直下に位置するようにして、図示を省略の孔が穿たれている。
弾性機構１３４には、その外周にネジ切りのされた貫通ボルト１３４Ｂが含まれている。この貫通ボルト１３４Ｂは、可動長部材１３０と一体となって、本願発明における可動部材をなすものである。貫通ボルト１３４Ｂには、その孔の内周面にネジ切りのされたナット１３４Ｃが螺合されている。上述したように、ナット１３４Ｃは、回転不可能（完全に回転できない場合も含むが、遊びがあり制限された幾らかの範囲で回転できる場合も含み、この実施形態では、後者のようにされている。）にして嵌め込まれている。ナット１３４Ｃは底板１３１に固定されているわけではないので、底板１３１に対しての上下動を行えるようになっている。
貫通ボルト１３４Ｂは、本体１１０の上第１孔１１３Ｄと、格納部材１３４Ａの、本体１１０の上第１孔１１３Ｄの直下に位置する図示を省略の孔を上から貫通し、更にナット１３４Ｃを貫通して、押圧部材１４０の押圧板１４１にその先端が接続されている。貫通ボルト１３４Ｂは、その先端が押圧板１４１から離れないものの、押圧板１４１に対して回転することができるようになっている。言い換えれば、貫通ボルト１３４Ｂは押圧板１４１に接続されているが、押圧板１４１に対して空回りできるようになっている。必ずしもこの限りではないが、この実施形態では、貫通ボルト１３４Ｂと押圧板１４１の固定は、接続部材１３４Ｄを介して行われている。接続部材１３４Ｄは、互いに回転可能となっている２つの部材を備えており、それら部材の一方が貫通ボルト１３４Ｂに他方が押圧板１４１に固定されている。
また、ナット１３４Ｃの上面と、格納部材１３４Ａの上側の板の下面の間には、貫通ボルト１３４Ｂに貫かれた状態でバネ１３４Ｅが収納されている。このバネ１３４Ｅは、圧縮状態にあり、ナット１３４Ｃの上面と、格納部材１３４Ａの上側の板の下面には固定されてはいないが、両者を互いに押している。つまり、ナット１３４Ｃの上面は常に、下向きに付勢された状態にある。
弾性機構１３４において、貫通ボルト１３４Ｂを回転させると、ナット１３４Ｃは上述のように回転しないようになっているから、ナット１３４Ｃに螺合された貫通ボルト１３４Ｂは、上下に移動する。上述したように、貫通ボルト１３４Ｂの先端は、押圧部材１４０の押圧板１４１に接続されるから、貫通ボルト１３４Ｂが上下すると、押圧板１４１を含む押圧部材１４０が上下する。このようにして、貫通ボルト１３４Ｂを回転させることにより、本体１１０に対する押圧部材１４０乃至押圧板１４１の上下方向の位置を適当に微調整することができる。
また、弾性機構１３４において、押圧板１４１に上方向の力がかかると、押圧板１４１に接続された貫通ボルト１３４Ｂが上方向に上がろうとする。そうすると、貫通ボルト１３４Ｂに螺合されたナット１３４Ｃも上がろうとするが、ナット１３４Ｃはバネ１３４Ｅから下向きに付勢力を受けている。押圧板１４１にかかる上向きの力がある一定の範囲を超えると、押圧板１４１は、ナット１３４Ｃがバネ１３４Ｅから受ける下向きの付勢力に抗して、上向きに幾らか移動する。これは、押圧板１４１にかかる力が過剰になることを防ぐための仕組みとして機能する。
【００２８】
取付装置１００は、また、上下位置決め機構１６０を備えている。上下位置決め機構１６０は、可動長部材１３０の本体１１０に対する高さを決定する、或いは変化させるためのものである。かかる上下位置決め機構１６０によって、可動長部材１３０は、上方の第１位置と、それより下方の第２位置の２つの位置に位置決めできる。
上下位置決め機構１６０は、本体１１０に組み付けられた可動長部材１３０の中に、つまり、可動長部材１３０の両側板１３２の間に位置するようになっている。
上下位置決め機構１６０は、両端が面取りされた横長の互いに所定の間隔で平行に配置されたリンク板１６１と、リンク板１６１の一端側（図４の右側）に設けられた、リンク板１６１を挟むようにしてリンク板１６１に取付けられている一対の駆動板１６２と、リンク板１６１の他端側に設けられた、リンク板１６１を挟むようにしてリンク板１６１に取付けられている一対の小判型の連動板１６３とを備えている。両駆動板１６２には孔１６２Ａが、両連動板１６３には孔１６３Ａが、それぞれ対応する位置に穿たれている。
リンク板１６１の一端側の駆動板１６２に挟まれた部分の間には、円形で且つその中心に図示せぬ孔が穿たれた第１ホイール１６４が、また、リンク板１６１の他端側の連動板１６３に挟まれた部分の間には、円形で且つその中心に図示せぬ孔が穿たれた第２ホイール１６５が、それぞれ配置されている。第１ホイール１６４と第２ホイール１６５の直径の長さは、リンク板１６１の上下の高さよりも若干長い。
両リンク板１６１の一端側と他端側には、孔（図示を省略）が穿たれている。これら孔のうち図４の右側に示されたものと、駆動板１６２の孔１６２Ａと、第１ホイール１６４の孔は図４の右側の軸棒１３２Ｂにまとめて貫かれ、また、これら孔のうち図４の左側に示されたものと、連動板１６３の孔１６３Ａと、第２ホイール１６５の孔は図４の左側の軸棒１３２Ｂにまとめて貫かれている。その状態で、第１ホイール１６４と第２ホイール１６５は可動長部材１３０の底板１３１にそれらの下端で接触している。第１ホイール１６４と第２ホイール１６５は、軸棒１３２Ｂを軸として回転できるようになっている。また、両リンク板１６１に対して、駆動板１６２は軸棒１３２Ｂを軸として回転できるようになっている。
２枚の連動板１６３の孔１６３Ａが穿たれたのとは反対側の端部は、中空の円筒形のパイプ１６３Ｂで連結されている。パイプ１６３Ｂの孔は、連動板１６３の外側に向けて露出している。パイプ１６３Ｂは、固定棒１１４によって貫通されている。パイプ１６３Ｂ乃至連動板１６３は、固定棒１１４を軸として回転できるが、固定棒１１４は本体１１０に固定されていて動かない。他方、上述のように連動板１６３は、軸棒１３２Ｂを軸としてリンク板１６１に対して回転できるようになっている。軸棒１３２Ｂが長孔１３２Ａの長さ方向に沿って移動できることもあり、連動板１６３はその角度を水平に近い角度から垂直に近い角度に移動できるようになっている。
また、２枚の駆動板１６２の孔１６２Ａが穿たれたのと反対側には、上述のレンチ凸部材１２８を挿入することのできる断面六角形の穴である駆動穴１６２Ｂ１を備えたレンチ凹部材１６２Ｂが取付けられている。レンチ凸部材１２８は、駆動穴１６２Ｂ１に挿入されており、これによりレンチ凸部材１２８とレンチ凹部材１６２Ｂが連結されている。
上下位置決め機構１６０は、以下のように機能するようになっている。
上述したように、駆動リンク１２０は、駆動軸１２６の回転をレンチ凸部材１２８に伝える。そうすると、その回転は、レンチ凸部材１２８が挿入されたレンチ凹部材１６２Ｂに伝えられる。
レンチ凸部材１２８が例えば、時計回りに回転すると、駆動板１６２の下端が図４の左方向に移動する。そうすると、第１ホイール１６４、第２ホイール１６５とともに２本の軸棒１３２Ｂにそれぞれ貫通されているリンク板１６１が、図４の左方向に移動する。そうすると、連動板１６３は、固定棒１１４を軸として回転するが、そのとき、連動板１６３の固定棒１１４に軸支されている部分は上下左右に動けないので、その下端が水平に図４の左方向に移動し、結果として寝た状態となる。このとき、連動板１６３は、本体１１０の上側板１１３に接触しない状態となる。そうすると、上述したように、可動長部材１３０にはバネ１３３により常に上向きの付勢力が働いているから、可動長部材１３０は、上方に持ち上がり、その位置を保つ。このときの可動長部材１３０の位置が第１位置である。
また、レンチ凸部材１２８が例えば、反時計回りに回転すると、駆動板１６２の下端が図４の右方向に移動する。そうすると、第１ホイール１６４、第２ホイール１６５とともに２本の軸棒１３２にそれぞれ貫通されているリンク板１６１が、図４の右方向に移動する。そうすると、連動板１６３は、固定棒１１４を軸として回転するが、そのとき、連動板１６３の固定棒１１４に軸支されている部分は上下左右に動けないので、その下端が水平に図４の右方向に移動し、結果として立ち上がる。このとき、連動板１６３は、本体１１０の上側板１１３に押す力を加える。そうすると、上述したように、可動長部材１３０にはバネ１３３により常に上向きの付勢力が働いているが、連動板１６３は、より詳細に言えば、第１ホイール１６４と第２ホイール１６５は、その下端で可動長部材１３０の底板１３１を、上述の付勢力に抗して押し下げる。このときの可動長部材１３０の位置が第２位置である。
【００２９】
次に、移動防止装置２００の構成について説明する。
移動防止装置２００の側面図を図９に、そのケース及び係止部材（いずれも後述）を透視したものである透視側面図を図１０に、その正面図を図１１に、そのケース及び係止部材の正面の板を除去したものを図１２に、その平面図を図１３に、移動防止装置２００の動作を説明するための図１０と同様の透視側面図を図１４に、それぞれ示す。なお、図１２ではねじりバネの記載を省略している。
移動防止装置２００は、特に断りがない限りすべて金属で構成されている。
【００３０】
移動防止装置２００は、ケース２１０を備えている。ケース２１０は略直方体形状に構成されており、その下面が開放されている。ケース２１０には後述する種々の部品が取付けられ、或いはその内部空間に種々の部品が内蔵される。
一側面しか図９には現れていないが、ケース２１０の両面には、その内面にネジ切りがされたネジ穴２１１が設けられている。ネジ穴２１１は、ケース２１０を、或いは移動防止装置２００を、設置台ユニット５００に固定するためのものである。後述するようにして、移動防止装置２００は設置台ユニット５００の下板５５０に固定される。
移動防止装置２００の上面の幅方向の中程には、移動防止装置２００の長さ方向に亘る所定幅の開口であるスリット２１２（図１３）が設けられている。
【００３１】
ケース２１０には、係止部材２２０が取付けられている。
係止部材２２０は、平面視で後端が開放された略コの字型をしている。係止部材２２０は、移動防止装置２００の使用時においてパチスロ遊技機６００の背面に当接してパチスロ遊技機６００の予期せぬ後方への移動を防止するためのものである。係止部材２２０の前方の板である前板２２１の正面は平面になっており、その平面がパチスロ遊技機６００の背面に当接する当接面２２１Ａである。
係止部材２２０の幅は、上述のスリット２１２の幅よりも若干短くなっている。係止部材２２０の両側面の板である側面板２２２はそれらの下方がともにスリット２１２の中にまで達しており、それらの下端には、スリット２１２の直下で側面板２２２をそれぞれ外向きに直角に曲折させられることにより形成されたリブ２２２Ａを備えている。係止部材２２０の両側面板２２２の外側面には、スリット２１２の外側にその下面が係止される板である係止板２２２Ｃが設けられている。
係止部材２２０は、ケース２１０に対して前後動を行えるようになっている。係止部材２２０がケース２１０に対して前後動を行うとき、係止部材２２０の両側面板２２２の外側が、ケース２１０に設けられたスリット２１２の内側面によってそれぞれ案内され、リブ２２２Ａの上面がスリット２１２の縁の下面によって、係止板２２２Ｃの下面がスリット２１２の縁の上面によってそれぞれ案内されることで、係止部材２２０は、スリット２１２に沿って前後動を行うようになる。つまり、リブ２２２Ａの上面、側面板２２２の外側面、及び係止板２２２Ｃの下面が作る断面コの字型の溝を、スリット２１２の長手方向の縁によって案内させることにより、係止部材２２０のスリット２１２に沿う移動が実現されている。
なお、係止板２２２Ｃを設ける代わりに、係止板２２２Ｃの下面よりも上側の部分における側面板２２２の厚さを外側に増すことによっても、係止板２２２Ｃを用いた場合における同様の効果を得ることができる。
【００３２】
上述の２つのリブ２２２Ａの後端にはそれぞれ、リブ２２２Ａを下方に向けて直角に曲折されることによって形成された曲折部２２２Ｂが設けられている。曲折部２２２Ｂは、後述するバネの後端を固定するために使用される。
係止部材２２０には、また、円柱状の軸棒２２３が設けられている。軸棒２２３は、係止部材２２０の両側面板２２２の内側面にその両端を固定されており、両側面板２２２に対して垂直とされている。軸棒２２３は、後述するロック部材を軸支するものである。
軸棒２２３の周囲には、ねじりバネ２２４が取付けられている。ねじりバネ２２４は、２本の脚（長い方を長脚２２４Ａ、短い方を短脚２２４Ｂとする）を備えており、その長脚２２４Ａは係止部材２２０の前板２２１の内側面に対して固定され、短脚２２４Ｂは、後述するロック部材の所定の箇所に対して固定されている。ねじりバネ２２４は、ロック部材に対して後述するような力を加える（常時加える）ようなものであるが、その力については後述する。なお、ねじりバネ２２４の長脚２２４Ａと、短脚２２４Ｂの前板２２１とロック部材に対する固定は、完全な固定ではなく係止で足りるが、その場合には長脚２２４Ａについては、長脚２２４Ａの先端が図１０において下方に移動しないようにするための工夫（例えば長脚２２４Ａの先端と干渉する突起）を前板２２１の内側面に設ける必要がある。短脚２２４Ｂについては、ロック部材の後述する爪板がそのような工夫として自ずから機能するから、その先端が図１０の左方向に移動しないようにするための工夫は特に必要ない。
【００３３】
係止部材２２０には、ロック部材２３０が取付けられている。
ロック部材２３０は、クランクした板であるクランク板２３１を備えている。
クランク板２３１は、係止部材２２０に取付けられた上述した軸棒２２３を貫通させるための孔である貫通孔２３１Ａ（図１２）を備えており、軸棒２２３に対して、軸棒２２３を軸として回動可能に取付けられている。クランク板２３１の後端付近には、孔である接続孔２３１Ｂが設けられている。接続孔２３１Ｂは、ガイドワイヤ８００との接続をなすためのものである。後述するようにガイドワイヤ８００は、クランク板２３１の後端付近にある接続孔２３１Ｂを上方に持ち上げるか、或いはその力を加えないかの２つの状態を取ることができる。その力がかかっているときには、クランク板２３１の後端は持ち上げられ、その力がかかっていないときにはクランク板２３１の後端は、図１０に示された位置に下がるようになっている。それにより、ロック部材２３０は係止部材２２０に対して軸棒２２３を中心とした回動を行うようになっている。
ロック部材２３０は、また、板状体である爪板２３２を備えている。爪板２３２は、その下端の辺が、後述するラチェット歯との関係で、ラチェットの爪として機能するものである。
爪板２３２は、クランク板２３１の前方下側の後方に向かって下る傾斜が与えられた辺に沿って設けられた平面視矩形の板である。爪板２３２は、これには限られないが、クランク板２３１の上述の辺にその端部の辺を固定されることにより、クランク板２３１によって片持ちされている。爪板２３２の幅は、係止部材２２０の両側面板２２２の内側面から内側面までの距離とほぼ同じである。ロック部材２３０が、軸棒２２３を軸として回転するとき、ロック部材２３０のクランク板２３１の外側面がそれと近接する側面板２２２の内側面に案内されるとともに、爪板２３２のクランク板２３１と対向する側の辺が、他方の側面板２２２の内側面に案内されるようになっている。これにより、ロック部材２３０は、軸棒２２３を軸とした回動運動を行う場合に、軸棒２２３の長さ方向には移動できないようになっている。
なお、上述のねじりバネ２２４の短脚２２４Ｂの先端は、爪板２３２の下端付近に固定（既に述べたように係止でも良い。）されている。それにより、ロック部材２３０には、ねじりバネ２２４から、図１０等に示した矢印方向の力が加えられるようになっている。
【００３４】
ケース２１０の内部には、２つのバネ２４０と、ラチェット板２５０が取付けられている。
２つのバネ２４０のその前端がケース２１０の前側の板の内側面に、その後端が、係止部材２２０の下方に接続されたリブ２２２Ａの後端にある曲折部２２２Ｂの前面にそれぞれ固定されている。これには限られないが、２つのバネ２４０は、例えばケース２１０のスリット２１２に対して平行となっている。上述したように、係止部材２２０はケース２１０に対して前後動を行うが、係止部材２２０がケース２１０に対して最も前にある場合でもバネ２４０は幾らか伸びている。他方、係止部材２２０がケース２１０に対して後側に移動するとそれに連れバネ２４０が更に伸び、バネ２４０から曲折部２２２Ｂに、ひいては係止部材２２０に、それらを前方に引き戻すような力が増すようになっている。つまり、２つのバネ２４０は係止部材２２０に対して常に、ケース２１０の前方側へ移動するような力を与えるようになっている。
ラチェット板２５０は、ケース２１０の例えば幅方向の中心に、ケース２１０の例えば長さ方向の全長に亘って設けられた鉛直な板である。ラチェット板２５０は、その上面にラチェットの歯として機能するラチェット歯２５１を備えている。ラチェット歯２５１は、上述した爪板２３２の下端と噛み合わせることができるようになっている。爪板２３２がラチェット歯２５１と噛み合っているとき、爪板２３２はラチェット歯２５１の公知の傾斜によって前方には移動することができるが、後方には移動できないようになる。他方、爪板２３２がラチェット歯２５１と噛み合っていないときには当然に、爪板２３２は前方にも後方にも移動できる。つまり、爪板２３２がラチェット歯２５１と噛み合っているときには、係止部材２２０はケース２１０に対して前方には移動することができるが、後方には移動できず、爪板２３２がラチェット歯２５１と噛み合っていないときには、係止部材２２０はケース２１０に対して前方にも後方にも移動できる状態となる。なお、ラチェット板２５０は、そのラチェット歯２５１が爪板２３２と噛み合えば良いので、必ずしもケース２１０の幅方向の中心に位置している必要はない。
爪板２３２がラチェット歯２５１と噛み合うか否かは、ロック部材２３０の角度によって決定される。上述したように、ロック部材２３０には、ねじりバネ２２４から、図１０に示した如き力が常時加えられている。したがって、ガイドワイヤ８００からロック部材２３０のクランク板２３１の後端の孔２３１Ｂにそれを引き上げるような力が加えられていないときには、ロック部材２３０は図１０の位置にあり、爪板２３２はラチェット歯２５１と噛み合っている。他方、ロック部材２３０の孔２３１Ｂが後述するように接続されたガイドワイヤ８００によって、ねじりバネ２２４の力に抗して引き上げられたときには、図１４に示すようにロック部材２３０が反時計回りに回転して、ラチェット歯２５１に対する爪板２３２の係止が解かれることになる。
【００３５】
以上説明した取付装置１００、及び移動防止装置２００の使用方法と動作について説明する。
【００３６】
上述のように、取付装置１００は上板５６０、移動防止装置２００は下板５５０にそれぞれ固定して用いられる。
取付装置１００は、より具体的には、本体１１０の前側に取付けられた固定部材１１６の水平部１１６Ａの上面を上板５６０の下面に当接させ、垂直部１１６Ｂの前面を上板５６０の背面に当接させた状態で、上板５６０に取付けられる。上板５６０への固定部材１１６の固定は、水平部１１６Ａに設けられたネジ孔１１６Ａ１を貫通させたネジを上板５６０に上方向に打込むか、垂直部１１６Ｂに設けられたネジ孔１１６Ｂ１を貫通させたネジを上板５６０に前向きに打込むか、或いはその両方を行うかによる。
こうして、取付装置１００は、上板５６０の後方に位置するようにして、上板５６０に取付けられる（図１）。取付装置１００の長手方向の中央は、パチスロ遊技機６００の幅方向の中央と概ね一致するようにされる。上板５６０の上方には、例えばドル箱置き場等が存在する場合もあるが、取付装置１００が上述の位置に存在するのであれば、ドル箱置き場等が存在しても取付装置１００を上板５６０に固定するに問題は生じない。
他方、この実施形態では、必ずしもこの限りではないが、移動防止装置２００は図１５に示したように、アングル９００を用いて、下板５５０の後方に取付けられる。図１５の手前側が下板５５０の後方である。アングル９００は移動防止装置２００の一部をなす。なお、図１５では、簡単のために、移動防止装置２００のうちケース２１０のみを図示している。
アングル９００は公知、或いは周知の断面略Ｌ字型の金具であり、その側面に多数の孔９０１が、その長さ方向に沿うようにして穿たれている。アングル９００はその内側の角を下板５５０の幅方向の両端の上側の角に添わせるようにして下板５５０に対して固定される。このとき、アングル９００の後端が、下板５５０から後方に食み出るようにする。アングル９００のうち下板５５０に沿っている部分に存在する孔９０１は、アングル９００を下板５５０に固定するために用いることができる。例えば、図示を省略の木ねじをアングル９００のうち下板５５０に沿っている部分に存在する孔９０１のうちの適当なものを貫通させた状態で下板５５０にその側面から打ち込むことにより、アングル９００を下板５５０に対して固定することが可能である。他方、アングル９００の下板５５０から食み出た部分には、移動防止装置２００が固定される。上述したように、移動防止装置２００のケース２１０の両側面には、ネジ穴２１１が設けられている。アングル９００の下板５５０から食み出た部分に設けられた孔９０１を貫通させた図示を省略のネジをネジ穴２１１に螺合することにより、ケース２１０をひいては移動防止装置２００をアングル９００に対して固定することができる。これには限られないがこの実施形態では、このときケース２１０の上面が、下板５５０の上面と同一平面上に位置するようになっている。
この実施形態でアングル９００を用いることとしているのは、パチスロ遊技機６００を下板５５０に対して載せ後方に押し込んだ場合一般に、下板５５０の後端からパチスロ遊技機６００の背面が食み出るところ、パチスロ遊技機６００の背面が下板５５０の後端から食み出る長さはパチスロ遊技機６００の機種によって異なるため、パチスロ遊技機６００の背面が大きく下板５５０から食み出た場合にも対応できるようにするためである。もっとも、ケース２１０に対する係止部材２２０の前後動によってパチスロ遊技機６００の背面が下板５５０の後端から後ろに食み出る長さの変化をある程度吸収することができる。もっとも、ケース２１０に対する係止部材２２０の前後動によっても吸収できない程パチスロ遊技機６００の前後方向の長さにバリエーションがあることも考えられるので、そのような場合にはアングル９００を用いることが好ましい。
なお、図１５では、下板５５０後端における下板５５０の幅方向の一端付近のみを示しているが、アングル９００が下板５５０の幅方向の両端に設けられ、そしてそれら両アングル９００の内側に移動防止装置２００がそれぞれ取付けられても構わない。なお、アングル９００は、パチスロ遊技機６００の下面との干渉をなるべく防ぐという観点からすれば、その厚さが小さい方がよく、例えばその厚さを１ｍｍ程度或いはそれ以下とすることができる。
【００３７】
これら、取付装置１００と、移動防止装置２００とは、ガイドワイヤ８００によって互いに接続される。ガイドワイヤ８００の活用により、本願発明でいうところの操作手段（実施形態における駆動軸１２６）の設置場所の自由度が高まる。実際、パチスロ遊技機６００が下板５５０に乗せられると、その背後に作業者が手を伸ばすことが難しくなるので、操作手段の設置場所を作業者の手の届く範囲に自由に設置することができることのメリットは大きい。
ガイドワイヤ８００は、取付装置１００と移動防止装置２００の動作を連動させるために、取付装置１００側の動作を移動防止装置２００側に伝える機能を有している。そのような機能を有しているのであれば、ガイドワイヤ８００は、そのような動作を伝達するための他の構成に置換することが可能である。例えば、無端ベルトや、ラックアンドピニオン機構などの公知、周知の機構を含む構成をガイドワイヤ８００に代えて採用することが可能である。
この実施形態におけるガイドワイヤ８００は、取付装置１００の可動長部材１３０が上側の第１位置にある場合にテンションが入り、可動長部材１３０が下側の第２位置にある場合にテンションが入らないようになっている。ガイドワイヤ８００の下端は、ロック部材２３０の接続孔２３１Ｂに適当な方法で固定されている。他方、ガイドワイヤ８００の上端は、ガイドワイヤ８００に入る又は入らないテンションが上述の如くなるように、可動長部材１３０の移動に伴って移動を行う、取付装置１００を構成する中の適当な部材に取付けられる。これには限られないが、この実施形態では、ガイドワイヤ８００の上側の端部は、駆動リンク１２０を構成する部材の中の第３リンク部材１２５の適当な箇所に固定されるようになっている。なお、ガイドワイヤ８００に入る又は入らないテンションが上述のようなものとなるように移動するガイドワイヤ８００の上端と接続するための可動長部材１３０と連動して移動する他の部材を、取付装置１００に追加することももちろん可能である。
ガイドワイヤ８００にテンションが入っていないとき、ロック部材２３０の先端には、ねじりバネ２２４から、ロック部材の爪板２３２の先端がラチェット板２５０のラチェット歯２５１に噛み合う向きに押圧する、図１０に矢印で示した方向の力がかかるから、ロック部材２３０の後端は、図９、図１０に示したような下方に下がった位置に位置することになる。
他方、ガイドワイヤ８００にテンションが入ると、ロック部材２３０の先端に加えられるねじりバネ２２４からの上述の力に抗して、ロック部材２３０の後端のより詳細には接続孔２３１Ｂと接続された部分が、ガイドワイヤ８００によって上方に引き上げられて図１４に示した如き状態となる。
このように取付装置１００と移動防止装置２００とが連動するようにガイドワイヤ８００は調整されている。
【００３８】
以上のようにして、設置台ユニット５００には、取付装置１００と、移動防止装置２００とが取付けられ、取付装置１００と移動防止装置２００とは、ガイドワイヤ８００によって互いに接続された。
設置台ユニット５００には、パチスロ遊技機６００が固定される。
パチスロ遊技機６００を固定するには、パチスロ遊技機６００を、下板５５０の上に載せる。このとき、パチスロ遊技機６００は、下板５５０と上板５６０の間に位置することになる。パチスロ遊技機６００は、まず、下板５５０のうちの最終的に設置台ユニット５００に固定される場合に比較した場合には前側にあたる位置に載置される。
この状態では、取付装置１００の可動長部材１３０は第１位置にあり、ガイドワイヤ８００にはテンションが入っており、そしてロック部材２３０の後端は上がった状態となっている。
したがって、取付装置１００によりパチスロ遊技機６００は固定されておらず、また、移動防止装置２００の係止部材２２０は、ケース２１０に対して前方にも後方にも移動できるようになっている。もっとも、係止部材２２０には、係止部材２２０を後方に移動させた場合にはバネ２４０から、ケース２１０に対して最も前方側に移動するような力が常に働いているから、係止部材２２０をケース２１０に対して後方に移動させるのであれば、それに抗する力を係止部材２２０に与える必要がある。
作業者は、パチスロ遊技機６００を下板５５０の上で後方に押す。これによりパチスロ遊技機６００は下板５５０の上を後方に移動する。パチスロ遊技機６００の幅方向の両端は、アングル９００下板５５０の上面と重なっている部分の上を後方に移動する。
パチスロ遊技機６００の背面が下板５５０の後端を過ぎるとやがて、パチスロ遊技機６００の下面は、ケース２１０の上面に乗る。ケース２１０の上面は、下板５５０の上面と同一平面内にあるから、その下面を、平面であり、且つ事実上水平であるケース２１０の上面に支持されたパチスロ遊技機６００は、安定した状態を保つ。更にパチスロ遊技機６００を後方に下げると、パチスロ遊技機６００の背面が係止部材２２０の当接面２２１Ａに当接する。パチスロ遊技機６００の背面は、少なくとも係止部材２２０の当接面２２２Ａと当接する部分においては、鉛直な平面であるものとする。パチスロ遊技機６００を更に後方に押すと、その力を当接面２２１Ａが受けることにより、ケース２１０に対する前後動が共に行えるようになっている係止部材２２０は、バネ２４０からの力に抗しつつ、ケース２１０に対して後方に移動する。パチスロ遊技機６００を後方に押し込み過ぎたとする。その場合には作業者はパチスロ遊技機６００の位置をやや前側よりに調整するが、その場合には、係止部材２２０は、バネ２４０からの力を受け、その当接面２２１Ａをパチスロ遊技機６００の背面に当接させたまま前方に移動する。このようにして、パチスロ遊技機６００は前後方向における所望の位置に位置決めされる。
結果として、係止部材２２０は、図１６に示したように、ケース２１０に対して幾らか下がった状態となる。このとき、当接面２２１Ａは、パチスロ遊技機６００の背面に当接している。
また、パチスロ遊技機６００が適切に位置決めされると、パチスロ遊技機６００の前端が上板５６０の前縁から食み出、その後端が上板５６０の後縁から食み出でた状態となり、パチスロ遊技機６００の前端と下板５５０の前縁が略揃うか、下板５５０の前縁からその前端が僅かに食み出で、その後端が下板５５０の後縁５５０から食み出でた状態となる。
【００３９】
この状態で、取付装置１００によるパチスロ遊技機６００の設置台ユニット５００への固定と、移動防止装置２００でのパチスロ遊技機６００の後方への移動を防止する。これらは、この実施形態では、同時に達成される。
【００４０】
設置台ユニット５００にパチスロ遊技機６００を固定するには、以下のようにすればよい。上述したようにこのとき、可動長部材１３０は第１位置にある。
その状態で駆動リンク１２０の操作を行う。
この実施形態における設置台ユニット５００では、例えば、飾り板を上方に跳ね上げることにより露出された開口から作業者が手を入れることにより駆動リンク１２０の操作を行うことができる。駆動リンク１２０の操作は、駆動軸１２６に設けられたレンチ穴１２６Ａに六角レンチを挿入し、六角レンチを回転させることにより行う。
駆動軸１２６を、そのレンチ穴１２６Ａに六角レンチの先端を挿入して回転させると、その回転が、第１リンク部材１２３、第２リンク部材１２４、第３リンク部材１２５を介してそのままの角度で、レンチ凸部材１２８に伝わり、レンチ凸部材１２８が、六角レンチを回転させた角度だけ回転する。また、六角レンチを回転させる方向を選択することにより、駆動軸１２６の回転する方向を選択することができる。
【００４１】
六角レンチは、可動長部材１３０を第１位置から第２位置へ移動させる向きに、それが可能な角度、回転させられる。
可動長部材１３０を第１位置から第２位置へ移動させるには、レンチ凸部材１２８が、図４の向きから見たときに、反時計回りに回転する向きに、六角レンチを回転させれば良い。
レンチ凸部材１２８を、反時計回りに回転させると、駆動板１６２の下端が図４の右方向に移動する。そうすると、第１ホイール１６４、第２ホイール１６５とともに２本の軸棒１３２Ｂにそれぞれ貫通されているリンク板１６１が、図４の右方向に移動する。そうすると、連動板１６３は、立ち上がる。このとき、連動板１６３は、本体１１０の上側板１１３に押す力を加える。そうすると、上述したように、可動長部材１３０にはバネ１３３により常に上向きの付勢力が働いているものの、連動板１６３に取付けられた第１ホイール１６４と第２ホイール１６５が、その下端で可動長部材１３０の底板１３１を、上述の付勢力に抗して押し下げる。
可動長部材１３０が第２位置に位置すると、可動長部材１３０に取付けられた押圧部材１４０の押圧板１４１の下面が、より詳細には押圧板１４１の下面に取付けられた弾性部材１５０の下面が、上板５６０の後ろに食み出したパチスロ遊技機６００の上面を下向きに押圧する。これにより、パチスロ遊技機６００は、下板５５０と押圧部材１４０の間で挟持された状態となる。
なお、このとき、弾性機構１３４は、パチスロ遊技機６００に過度の力がかかるのを防止する。それは、以下のようにして実現される。押圧板１４１に上方向の力がかかると、押圧板１４１に接続された貫通ボルト１３４Ｂが上方向に上がろうとする。そうすると、貫通ボルト１３４Ｂに螺合されたナット１３４Ｃも上がろうとするが、ナット１３４Ｃはバネ１３４Ｅから下向きに付勢力を受けている。押圧板１４１にかかる上向きの力がある一定の範囲を超えると、押圧板１４１は、ナット１３４Ｃがバネ１３４Ｅから受ける下向きの付勢力に抗して、上向きに幾らか移動する。これにより、押圧板１４１にかかる力は過剰にならない。
なお、可動長部材１３０を第２位置に位置させたときにおける押圧板１４１の上下方向の位置が適切ではないために押圧板１４１がパチスロ遊技機６００に与える下向きの力が適切ではない場合がある。その場合には、貫通ボルト１３４Ｂを適当な向きに回転させることにより、貫通ボルト１３４Ｂを上下させることにより、本体１１０に対する押圧板１４１の上下方向の位置を調整することが可能である。かかる調整は、可動長部材１３０が第２位置にあるときに行っても良いし、第１位置にあるときに行っても良い。
このようにして、パチスロ遊技機６００は、下板５５０と押圧部材１４０の間で挟持された状態となり、その結果設置台ユニット５００に固定される。
【００４２】
六角レンチを、可動長部材１３０を第１位置から第２位置へ移動させる向きに回転させると、駆動リンク１２０は変形し、駆動リンク１２０に含まれる第３リンク部材１２５も移動する。それにより、第３リンク部材１２５にその上端が接続されているガイドワイヤ８００にかかっていたテンションが抜ける。そうすると、ロック部材２３０の後端が図１７に示したように下がる。これにより、ロック部材２３０における爪板２３２の後端がラチェット板２５０のラチェット歯２５１に噛み合う。この状態では、係止部材２２０は、ケース２１０に対して前方に移動することは可能であるけれども、後方に移動することができなくなる。そして、このとき、係止部材２２０の当接面２２１Ａには、位置決めされたパチスロ遊技機６００の背面が当接している。
この状態で、パチスロ遊技機６００は遊技者の遊技に供される。パチスロ遊技機６００の背面には係止部材２２０の当接面２２１Ａが当接しており、且つ係止部材２２０はケース２１０に対して前方には移動可能であるが、後方には移動できない状態にあるので、仮にパチスロ遊技機６００の前面の扉を開け閉めしたり、或いは興奮した遊技者がパチスロ遊技機６００の前面を叩いたとしても、パチスロ遊技機６００が後方に下がることはない。
【００４３】
他方、パチスロ遊技機６００の入れ替えの必要が生じた場合などには、以下のように、可動長部材１３０を第１位置にすることにより、取付装置１００によるパチスロ遊技機６００の設置台ユニット５００への固定を解けば良い。
その場合には、レンチ穴１２６Ａに挿入した六角レンチを、可動長部材１３０を第２位置から第１位置へ移動させる向きに、それが可能となるだけ回転させれば良い。
可動長部材１３０を第２位置から第１位置へ移動させるには、レンチ凸部材１２８が、図４の向きから見て時計回りに回転する向きに、六角レンチを回転させれば良い。
レンチ凸部材１２８を、時計回りに回転させると、駆動板１６２の下端が図４の左方向に移動する。そうすると、第１ホイール１６４、第２ホイール１６５とともに２本の軸棒１３２Ｂにそれぞれ貫通されているリンク板１６１が、図４の左方向に移動する。そうすると、連動板１６３は、寝た状態となる。このとき、連動板１６３は、本体１１０の上側板１１３に接触しない状態となる。そうすると、上述したように、可動長部材１３０にはバネ１３３により常に上向きの付勢力が働いているから、可動長部材１３０は、上方に持ち上がる。
可動長部材１３０が第１位置に位置すると、可動長部材１３０に取付けられた押圧部材１４０の押圧板１４１の下面が、より詳細には押圧板１４１の下面に取付けられた弾性部材１５０の下面が、上板５６０の後ろに食み出したパチスロ遊技機６００の上面から離れる。これにより、パチスロ遊技機６００は、下板５５０と押圧部材１４０の間で挟持されていない状態となるから、パチスロ遊技機６００の設置台ユニット５００への固定は解除される。
なお、以上で説明した取付装置１００では、その押圧部材１４０の押圧板１４１の下面の全面に弾性部材１５０が取付けられていたが、弾性部材１５０は押圧板１４１の一部にのみ取付けられていても構わない。
【００４４】
パチスロ遊技機６００の設置台ユニット５００への固定を解除するべく、六角レンチを、可動長部材１３０を第２位置から第１位置へ移動させる向きに回転させると、駆動リンク１２０は元の位置に戻るべく再び変形し、駆動リンク１２０に含まれる第３リンク部材１２５も移動する。それにより、第３リンク部材１２５にその上端が接続されているガイドワイヤ８００にはテンションが入る。そうすると、ロック部材２３０の後端が図１６に示したように上がる。これにより、ロック部材２３０における爪板２３２の後端の、ラチェット板２５０のラチェット歯２５１に対する咬合が解除される。この状態では、係止部材２２０は、ケース２１０に対して前方と後方のいずれにも移動可能となる。このとき、係止部材２２０の当接面２２１Ａには、位置決めされたパチスロ遊技機６００の背面が当接している。
作業者がパチスロ遊技機６００を前方に移動させると、それに伴い、パチスロ遊技機６００の背面に当接面２２１Ａを当接させたまま、係止部材２２０がケース２１０に対して前方に移動する。係止部材２２０がケース２１０の最も前方にまで移動した後も、パチスロ遊技機６００は更に前方に移動させられる。そうすると、係止部材２２０の当接面２２１Ａがパチスロ遊技機６００の背面から離れることになる。そうして、パチスロ遊技機６００は、設置台ユニット５００から除去される。
このとき、移動防止装置２００の特に係止部材２２０とロック部材２３０は、設置台ユニット５００にパチスロ遊技機６００を固定する前の状態に戻っている。したがって、新たなパチスロ遊技機６００を設置台ユニット５００に固定する場合においても、改めて移動防止装置２００に対する操作を行う必要はない。もっとも、次に設置台ユニット５００に対して固定されるパチスロ遊技機６００の前後方向の長さがその前に設置台ユニット５００に対して固定されていたパチスロ遊技機６００の前後方向の長さと大きく異なり、ケース２１０に対する係止部材２２０の前後動では、その差を吸収できないのであれば、アングル９００に対する移動防止装置２００の前後方向の位置を、作業者は適切に調整し直せばよい。
【００４５】
以上のように、このような取付装置１００と、移動防止装置２００とを用いれば、取付装置１００による設置台ユニット５００へのパチスロ遊技機６００の固定、及び移動防止装置２００によるパチスロ遊技機６００の後方への移動防止も、取付装置１００による設置台ユニット５００からのパチスロ遊技機６００の固定の解除、及び移動防止装置２００によるパチスロ遊技機６００の後方への移動防止の解除も、取付装置１００と移動防止装置２００の動作を連動させて、殆どワンアクションで行える。
もっとも、取付装置１００と移動防止装置２００との連動は必須ではない。取付装置１００の構成と動作を上述のままにするとともに、ガイドワイヤ８００の上端を取付装置１００に接続する代わりに、ガイドワイヤ８００にテンションを入れるかガイドワイヤ８００からテンションを抜くかを選択することのできる適当な操作装置にガイドワイヤ８００の上端を接続することにより、取付装置１００の動作と、移動防止装置２００の動作とを切り離すことも可能である。
【００４６】
＜変形例＞
変形例による移動防止装置２００について説明する。
かかる移動防止装置２００は、上述の実施形態で説明した取付装置１００とともに用いられ、ガイドワイヤ８００により取付装置１００と接続される。
変形例における移動防止装置２００は、実施形態で説明した上述の移動防止装置２００と殆ど変わらない。ガイドワイヤ８００も同様である。
唯一異なるのは、係止部材２２０の形状である（図１８）。この実施形態における係止部材２２０は、その前方下方に伸びた係止部２９０を備えている。係止部２９０は略直方体形状であり、その後面と下面が開放されている。変形例においては、係止部２９０の前方に位置する板状の部分の前面が当接面２２１Ａとなる。係止部２９０は、その両側方の板が、ケース２１０の両側面板２２２の外側を跨いだ状態となり、係止部材２２０と一体となって、ケース２１０に対して前後方向に移動可能である（図１９、図２０）。
かかる移動防止装置２００は、例えば、図２１に示したようにして下板５５０に対して固定される。この場合にもアングル９００が用いられる。ただし、上述の実施形態で用いられるアングル９００においては、その側面にのみ孔９０１が設けられていれば良かったが、変形例で用いられるアングル９００は、その側面のみならず、図示を省略されているがその底面（２つの側面と捉えるべきかもしれないが。）にも孔が設けられている。変形例におけるアングル９００は、上述の実施形態の場合とは異なり、その底面が下板５５０の上面に沿うようにして下板５５０に対して固定される。アングル９００の底面の図示せぬ孔を、その孔を貫通させた木ねじを下板５５０に打ち込むなどする場合に利用すれば良い。アングル９００は、その側面の内面がパチスロ遊技機６００の幅方向の両端に沿うようにして配され、その後端が下板５５０から後方に突出させられる。アングル９００の下板５５０から突出した部分に、上述の実施形態の場合と同様に移動防止装置２００が固定される。かかる固定は、上述の実施形態の場合と同様に、移動防止装置２００のケース２１０の両側面に設けられたネジ穴２１１に、アングル９００の下板５５０から食み出た部分に設けられた孔９０１を貫通させた図示を省略のネジを螺合させることにより行うことができる。
変形例の取付装置１００、移動防止装置２００、及びガイドワイヤ８００の使用方法、及び動作は基本的に第１実施形態の場合と変わらない。変形例では、ケース２１０の下面及び係止部材２２０の係止部２９０の下面が、下板５５０の上面と揃うことになる。当接面２２１Ａは下板５５０の上面の上側に位置する。その幅方向の両端がアングル９００下板５５０の上面と重なっている部分の上に位置しつつ下板５５０の上を後退してきたパチスロ遊技機６００の背面は、下板５５０の上面を延長した平面よりも上方に位置する当接面２２１Ａに当接することになる。
【符号の説明】
【００４７】
１００  取付装置
１１１  前側板
１１１Ｂ  凹部
１１２  後側板
１１２Ａ  後側孔
１１２Ｂ  凹部
１１３  上側板
１１３Ａ  開口
１１３Ｂ  第１蓋部材
１１３Ｂ１  ネジ
１１３Ｃ  第２蓋部材
１１３Ｃ１  ネジ
１１３Ｄ  上第１孔
１１３Ｅ  上第２孔
１１３Ｆ  上第３孔
１１４  固定棒
１１４Ａ  抜け止部
１１４Ｂ  溝
１１５  イーリング
１１６  固定部材
１１６Ａ  水平部
１１６Ａ１  ネジ孔
１１６Ｂ  垂直部
１１６Ｂ１  ネジ孔
１２０  駆動リンク
１２１  取付部材
１２２  支持部材
１２３  第１リンク部材
１２４  第２リンク部材
１２５  第３リンク部材
１２６  駆動軸
１２６Ａ  レンチ穴
１２６Ｂ  頭部
１２７Ａ  ネジ
１２７Ｂ  ネジ
１２８  レンチ凸部材
１３０  可動長部材
１３１  底板
１３２  側板
１３２Ａ  長孔
１３２Ｂ  軸棒
１３３  バネ
１３３Ａ  係止部
１３４  弾性機構
１３４Ａ  格納部材
１３４Ａ１  ネジ
１３４Ｂ  貫通ボルト
１３４Ｃ  ナット
１３４Ｄ  接続部材
１３４Ｅ  バネ
１４０  押圧部材
１４１  押圧板
１４２  側方板
１４２Ａ  切欠き
１５０  弾性部材
１５１  溝
１５２  突出部
１５３  ネジ
１６０  上下位置決め機構
１６１  リンク板
１６２  駆動板
１６２Ａ  孔
１６３  連動板
１６３Ａ  孔
１６３Ｂ  パイプ
１６４  第１ホイール
１６５  第２ホイール
２００  移動防止装置
２１０  ケース
２１２  スリット
２２０  係止部材
２２１  前板
２２１Ａ  当接面
２２２  側面板
２２２Ａ  リブ
２２２Ｂ  曲折部
２２３  軸棒
２２４  ねじりバネ
２３０  ロック部材
２３１  クランク板
２３２  爪板
２４０  バネ
ラチェット板
２５１  ラチェット歯
５００  設置台ユニット
５５０  下板
５６０  上板
６００  パチスロ遊技機
８００  ガイドワイヤ
９００  アングル
【図１】
2018082932.tif 000003
【図２】
2018082932.tif 000004
【図３】
2018082932.tif 000005
【図４】
2018082932.tif 000006
【図５】
2018082932.tif 000007
【図６】
2018082932.tif 000008
【図７】
2018082932.tif 000009
【図８】
2018082932.tif 000010
【図９】
2018082932.tif 000011
【図１０】
2018082932.tif 000012
【図１１】
2018082932.tif 000013
【図１２】
2018082932.tif 000014
【図１３】
2018082932.tif 000015
【図１４】
2018082932.tif 000016
【図１５】
2018082932.tif 000017
【図１６】
2018082932.tif 000018
【図１７】
2018082932.tif 000019
【図１８】
2018082932.tif 000020
【図１９】
2018082932.tif 000021
【図２０】
2018082932.tif 000022
【図２１】
2018082932.tif 000023